(57)【要約】【課題】  限られた面積内における近接した並列配置を可能にするとともに、振動による影響を受けることなく恒常的に所定方向の照度を高める。【解決手段】  照明装置１は、直管状照明管２と樋形プラスチックシート成形物３とで構成されている。直管状照明管２は、蛍光灯であって、円筒状の管本体２１と、この管本体２１の両端部に取り付けられた口金２２とから成る。樋形プラスチックシート成形物３、長さ方向の両端部３１、３１が直管状照明管２の口金２２端部まで至る長尺状であって、かつ、幅方向の両端部３２、３２が管本体２１の周面において相対向して位置し管本体２１の略半分を覆う幅を有している。また、管本体２１の径よりも小径な樋状に湾曲形成されており、したがって、樋形プラスチックシート成形物３は、管本体２１の反照射側に嵌合すことにより、それ自体の弾性により止め具なしで嵌着している。【選択図】    図１
2006196352.tif 000002
【特許請求の範囲】
【請求項１】
照明管に、拡散反射率が８５％以上１２０％以下の反射面を有する樋形プラスチックシート成形物を嵌合して成る照明装置。
【請求項２】
前記樋形プラスチックシート成形物が、止め具なしで嵌合して成ることを特徴とする請求項１記載の照明装置。
【請求項３】
前記樋形プラスチックシート成形物が、止め具によって固定されて嵌合して成ることを特徴とする請求項１記載の照明装置。
【請求項４】
前記止め具が、弾性体によって作製されていることを特徴とする請求項３記載の照明装置。
【請求項５】
前記樋形プラスチックシート成形物が、接着によって固定されて嵌合して成ることを
特徴とする請求項１記載の照明装置。
【請求項６】
前記樋形プラスチックシート成形物が、前記照明管とともに被覆された透明樹脂フィルムによって固定されて嵌合して成ることを特徴とする請求項１記載の照明装置。
【請求項７】
前記照明管が直管状照明管であることを特徴とする請求項１から６のいずれか１項に記載の照明装置。
【請求項８】
直管状照明管の両端に、環状止め具を設け、該環状止め具に、拡散反射率が８５％以上１２０％以下の反射面を有する樋形プラスチックシート成形物を嵌合して成る照明装置。
【請求項９】
前記環状止め具が弾性体によって作製されていることを特徴とする請求項８記載の照明装置。
【請求項１０】
管状照明管の両端に装着具を設けて装着した透明性硬質プラスチック保護管、又は前記装着具に、拡散反射率が８５％以上１２０％以下の反射面を有する樋形プラスチックシート成形物を嵌合して成る照明装置。
【請求項１１】
前記樋形プラスチックシート成形物が、前記管状照明管の両端に装着具を設けて装着した透明性硬質プラスチック保護管に対し接着によって固定されて嵌合して成ることを特徴とする請求項１０記載の照明装置。
【請求項１２】
前記樋形プラスチックシート成形物が、前記管状照明管の両端に装着具を設けて装着した透明性硬質プラスチック保護管に対し被覆された透明樹脂フィルムによって固定されて嵌合して成ることを特徴とする請求項１０記載の照明装置。
【請求項１３】
前記装着具が弾性体によって作製されていることを特徴とする請求項１０記載の照明装置。
【請求項１４】
前記樋形プラスチックシート成形物が止め具なしで嵌合して成ることを特徴とする請求項１０記載の照明装置。
【請求項１５】
前記樋形プラスチックシート成形物が止め具によって固定されて嵌合して成ることを特徴とする請求項１０又は１３記載の照明装置。
【請求項１６】
前記装着具が前記止め具を兼ねるものであることを特徴とする請求項１５記載の照明装置。
【請求項１７】
管状照明管と、該管状照明管を保護するために、該管状照明管の両端に装着具を設けて装着した透明性硬質プラスチック保護管との隙間に、拡散反射率が８５％以上１２０％以下の反射面を有する樋形プラスチックシート成形物を嵌合して成る照明装置。
【請求項１８】
請求項１乃至１７記載の照明装置に使用される樋形プラスチックシート成形物。
【請求項１９】
前記樋形プラスチックシート成形物の断面が略円弧形であることを特徴とする請求項１８記載の樋形プラスチックシート成形物。
【請求項２０】
前記樋形プラスチックシート成形物が、光を反射し、その拡散反射率が８５％以上１２０％以下であるシート又はフィルムであることを特徴とする請求項１８又は１９記載の樋形プラスチックシート成形物。
【請求項２１】
前記シート又はフィルムが、平均気泡径５０μｍ以下の独立気泡を有し、厚みが８０μｍ以上２０００μｍ以下であるポリエステル樹脂発泡体であることを特徴とする請求項２０記載の樋形プラスチックシート成形物。
【請求項２２】
前記シート又はフィルムが、平均気泡径50μｍ以下の独立気泡を有し、厚みが２００μm以上２０００μｍ以下であるポリエステル樹脂発泡体であることを特徴とする請求項２０記載の樋形プラスチックシート成形物。
【発明の詳細な説明】
【技術分野】
【０００１】
本発明は、照明管からの光の所定方向における照度を高める照明装置及びこれに用いられる樋形プラスチックシート成形物に関に関する。
【背景技術】
【０００２】
従来の照明装置としては、図１７に示したものが提案されている。この照明装置は、蛍光灯１００の反照射側に光反射プラスチックシート１０１が配置され、照射側に透明プラスチックシート１０２が配置された構成である。光反射プラスチックシート１０１の断面形状は、蛍光灯１００の反照射側の外側周面を包み込むような形状であって、幅方向の中央部で「へ」の字状に折り曲げられ、又は弓形に曲げられてその両翼部が蛍光灯１００の両側に突出した形状となっている。透明プラスチックシート１０２は、蛍光灯１００の下面と接触して取り付けられ、その両側部が反射プラスチックシート１０１の両翼部に融着して接合されている（特許文献１の図１参照。）。したがって、係る照明装置によれば、光反射プラスチックシート１０１からの反射光により、蛍光灯１００からの光の所定方向における照度を高めることができる。
【特許文献１】特開２００１−１８４９１４号公報
【発明の開示】
【発明が解決しようとする課題】
【０００３】
ところで、例えば小売店に配置されるショーケース形の冷蔵庫にあっては、後面には商品を内部に収納するための収納用開口部が存在し、前面に消費者が商品を取り出すための取出用開口部が存在することから、庫内を照明するための照明装置は、庫内の側面入口に取り付けられることとなる。したがって、側面入口から庫内全体を充分に照明するとともに  収納物の取り出しの邪魔にならないようにするため  極力突起の少ない物となる。    しかるに、前述した従来の照明装置にあっては、光反射プラスチックシート１０１が「へ」の字状に折り曲げられて、その両翼部が蛍光灯１００の両側に突出した形状となっている。このため、ショーケース形の冷蔵庫の側面入口光反射プラスチックシート１０１を配置した場合  両翼が収納物取り出しの邪魔になってしまう。邪魔にならないよう向きを変えると庫内全体を充分に照明することができないという問題が生ずる。
【０００４】
また、蛍光灯１００は円筒状であることから、「へ」の字状の光反射プラスチックシート１０１は蛍光灯１００と線接触しているに過ぎず、透明プラスチックシート１０２にあっても、蛍光灯１００と僅かに面接触しているに過ぎない。このため、前記収納用開口部や取出用開口部に設けられているドアの開閉時に生ずる振動により、光反射プラスチックシート１０１と透明プラスチックシート１０２とが一体的に蛍光灯１００に対して回転し、照度を高めようとしていた所定方向の照度が低下してしまう。無論、ショーケース形の冷蔵庫内に限らず、振動が生ずる箇所に配置した場合にも同様の問題が生ずる。
【０００５】
本発明は、かかる従来の課題に鑑みてなされたものであり、限られた面積内において設置可能で、且つ近接した並列配置を可能にするとともに、振動による影響を受けることなく恒常的に所定方向の照度を高めることのできる照明装置及び樋形プラスチック成形物を提供することを目的とする。
【課題を解決するための手段】
【０００６】
前記課題を解決するため本発明に係る照明装置は、照明管に、拡散反射率が８５％以上の反射面を有する樋形プラスチックシート成形物を嵌合して成る。樋形プラスチックシート成形物の拡散反射率は高いほど良いが、上限としては１２０％程度である。更に好ましい範囲は８５〜１１０％である。
【０００７】
したがって、照明管に嵌合されるプラスチックシート成形物は樋形であることから、照明管から両側に突出するような両翼が存在せず、ほぼ樋形プラスチックシート成形物の厚さ分突出するに過ぎない。よって、限られた面積内における近接した並列配置が可能となる。また、プラスチックシート成形物は前記照明管に嵌合し、また樋形であることから、その内周の多くの部分又は面全体が、照明管の表面と面接触している。したがって、振動が生ずる箇所に配置した場合であっても、振動により、樋形プラスチックシート成形物が直管状照明管に対して回転してしまうことはない。また、樋形プラスチックシート成形物は、拡散反射率が８５％以上１２０％以下であることから、所定の方向つまり樋形プラスチックシート成形物の開口方向の照度が充分に高められる。
【０００８】
なお、本発明において拡散反射率は、分光光度計（ＵＶ−３１０１ＰＣ：島津製作所製）を用いて、５５０ｎｍの波長における反射率を測定し、硫酸バリウムの微粉末を固めた白板の拡散反射率を１００％としたときの相対値から求めた。
【０００９】
また、本発明の樋形プラスチックシート成形物は透明フィルムと両縁で融着して筒状に成形する必要がないので構造が簡単化される。また、さらに本発明において、前記樋形プラスチックシート成形物が、止め具なしで嵌合して成ることにより、構造が簡単化する。  また、前記樋形プラスチックシート成形物が、止め具によって固定されて嵌合して成り、前記止め具が、弾性体によって作製され、あるいは接着によって固定されて嵌合して成ることにより、若しくは照明管とともに被覆された透明樹脂フィルムによって固定されて嵌合して成ることにより、樋形プラスチックシート成形物の固定性能は一層高まる。また、照明管は直管状照明管であることが好ましい。
【００１０】
また、本発明に係る照明装置は、直管状照明管の両端に、環状止め具を設け、該環状止め具に、拡散反射率が８５％以上１２０％以下の反射面を有する樋形プラスチックシート成形物を嵌合して成る。
【００１１】
この発明においても、直管状照明管に嵌合されるプラスチックシート成形物は樋形であることから、直管状照明管から両側に突出するような両翼が存在せず、環状止め具からほぼ樋形プラスチックシート成形物の厚さ分突出するに過ぎない。よって、限られた面積内における近接した並列配置が可能となる。また、樋形プラスチックシート成形物は、直管状照明管の両端の環状止め具に嵌合されていることから、振動により、樋形プラスチックシート成形物が直管状照明管に対して回転してしまうことはない。また、樋形プラスチックシート成形物は、拡散反射率が８５％以上１２０％以下であることから、所定の方向つまり樋形プラスチックシート成形物の開口方向の照度が充分に高められる。
【００１２】
また、前記環状止め具が弾性体によって作製されていることにより、樋形プラスチックシート成形物の固定性能は一層高まる。
【００１３】
また、本発明に係る照明装置は、管状照明管を保護するために、該管状照明管の両端に装着具を設けて装着した透明性硬質プラスチック保護管、又は前記装着具に、拡散反射率が８５％以上１２０％以下の反射面を有する樋形プラスチックシート成形物を嵌合して成る。
【００１４】
したがって、透明性硬質プラスチック保護管に嵌合されるプラスチックシート成形物は樋形であることから、透明性硬質プラスチック保護管から両側に突出するような両翼が存在せず、ほぼ樋形プラスチックシート成形物の厚さ分突出するに過ぎない。よって、限られた面積内における近接した並列配置が可能となる。また、プラスチックシート成形物は樋形であることから、その内周の多くの部分または面全体が、透明性硬質プラスチック保護管の表面と面接触している。よって、振動が生ずる箇所に配置した場合であっても、振動により、樋形プラスチックシート成形物が管状照明管に対して回転してしまうことはない。また、樋形プラスチックシート成形物は、拡散反射率が８５％以上１２０％以下であることから、所定の方向つまり樋形プラスチックシート成形物の開口方向の照度が充分に高められる。
【００１５】
また、前記装着具が弾性体によって作製されることにより、あるいは止め具によって固定されて嵌合して成ることにより、あるいは透明性硬質プラスチック保護管に対し被覆された透明樹脂フィルムによって固定されて嵌合して成ることにより、樋形プラスチックシート成形物の固定性能は一層高まる。また、前記樋形プラスチックシート成形物が止め具なしで嵌合して成り、あるいは、前記装着具が前記止め具を兼ねるものであることにより、構造が簡単化を図ることができる。
【００１６】
また、本発明に係る照明装置は、管状照明管と、該管状照明管を保護するために該管状照明管の両端に装着具を設けて装着した透明性硬質プラスチック保護管との隙間に、拡散反射率が８５％以上１２０％以下の反射面を有する樋形プラスチックシート成形物を嵌合して成り、あるいは、該隙間において、管状照明管を保護するために、該管状照明管の両端に装着具を設けて装着した透明性硬質プラスチック保護管に、拡散反射率が８５％以上１２０％以下の反射面を有する樋形プラスチックシート成形物を嵌合して成る。
【００１７】
係る照明装置においても、限られた面積内における近接した並列配置が可能となる。また、プラスチックシート成形物は前記隙間に嵌合されており、また樋形であることから、その内周の大部分又は面全体が、直管状照明管の表面と面接触している。したがって、振動が生ずる箇所に配置した場合であっても、振動により、樋形プラスチックシート成形物が直管状照明管に対して回転してしまうことはない。
【００１８】
また、本発明に係るプラスチックシート成形物は、前記照明装置に使用される樋形プラスチックシート成形物であり、その断面が略円弧形である。これによって嵌合性が一層高められる。
【００１９】
また、前記樋形プラスチックシート成形物は、光を反射するシート又はフィルムであることが好ましい。
【００２０】
本発明において用いられる光を反射するシート又はフィルムは特に限定されないが、内部に微細な気泡又は気孔を多数有する熱可塑性樹脂発泡体シートや、フィラーを含有する熱可塑性樹脂のフィルムであって、フィラーを核として多数のボイドが形成されているフィルムが挙げられる。
本発明において、光を反射するシート又はフィルムの材料としては、熱可塑性樹脂が好ましく、例えば、ポリエチレン、ポリプロピレン、ポリスチレン、ポリ塩化ビニル、ポリ塩化ビフェニル、ポリエチレンテレフタレート、ポリビニルアルコールなどの汎用樹脂、ポリカーボネート、ポリブチレンテレフタレート、ポリエチレンナフタレート、ポリアミド、ポリアセタール、ポリフェニレンエーテル、超高分子量ポリエチレン、ポリサルフォン、ポリエーテルサルフォン、ポリフェニレンサルファイド、ポリアリレート、ポリアミドイミド、ポリエーテルイミド、ポリエーテルエーテルケトン、ポリイミド、ポリテトラフルオロエチレン、液晶ポリマー、フッ素樹脂などのエンジニアリングプラスチック、又はこれらの共重合体又は混合物などが挙げられる。これらのうちでも、耐熱性、耐衝撃性などが良好であることから、ポリエステル、ポリフェニレンサルファイド、ポリプロピレン、シクロポリオレフィンが好ましい。なお、上記光を反射するプラスチックのフィルム又はシートに用いられる樹脂中には、酸化防止剤、紫外線防止剤、滑剤、顔料、強化剤などを適宜添加することができる。また、これらの添加剤を含有した塗布層を塗布して形成してもよい。
【００２１】
上記添加剤の中でも、蛍光増白剤を添加する、もしくは、蛍光増白剤を含有する塗料をコーティングすることにより、拡散反射率を１００％以上に向上させることができる。
【００２２】
本発明において、光を反射するシート又はフィルムは、平均気泡径光波長以上５０μｍ以下の独立気泡を有し、厚みが８０μｍ以上２０００μｍ以下、より好ましくは厚みが２００μｍ以上２０００μｍ以下であるポリエステル樹脂発泡体であることがより好ましい。
【００２３】
ポリエステル樹脂発泡体のシートを製造する方法は特に限定されないが、量産性を考慮すると、例えば以下のような方法を用いることが好ましい。
【００２４】
すなわち、ポリエステル樹脂のシートとセパレータとを重ねて巻くことによりロール形成し、このロールを加圧不活性ガス雰囲気中に保持して該ポリエステル樹脂シートに不活性ガスを含有させ、さらに不活性ガスを含有させた該ポリエステル樹脂シートを常圧下で、ポリエステルの軟化温度以上に加熱して発泡させる、という方法が用いられる。
不活性ガスとしては、ヘリウム、窒素、二酸化炭素、アルゴンなどが挙げられる。ポリエステル樹脂が飽和状態になるまでの不活性ガス浸透時間および不活性ガス浸透量は、発泡させるポリエステル樹脂の種類、不活性ガスの種類、浸透圧力およびシートの厚さによって異なる。
【００２５】
なお、この方法では、ポリエステル樹脂シートとセパレータとからなるロールを、加圧不活性ガス雰囲気中に保持して該ポリエステル樹脂シートに不活性ガスを含有させる前に、有機溶剤に含有させてもよい。
【００２６】
有機溶剤としては、ベンゼン、トルエン、メチルエチルケトン、ギ酸エチル、アセトン、酢酸、ジオキサン、ｍ−クレゾール、アニリン、アクリロニトリル、フタル酸ジメチル、ニトロエタン、ニトロメタン、ベンジルアルコールなどが挙げられる。これらのうち、取り扱い性および経済性の観点からアセトンがより好ましい。
【発明の効果】
【００２７】
以上説明したように本発明によれば、照明管に嵌合されるプラスチックシート成形物は樋形であることから、照明管から両側に突出するような両翼が存在せず、ほぼ樋形プラスチックシート成形物の厚さ分突出するに過ぎない。よって、限られた面積内における近接した並列配置が可能となる。また、プラスチックシート成形物は照明管や保護管などに嵌合し、また樋形であることから、その内周の多くの部分又は面全体が、照明管の表面と面接触している。よって、振動が生ずる箇所に配置した場合であっても、振動により、樋形プラスチックシート成形物が直管状照明管に対して回転してしまうことはない。したがって、振動による影響を受けることなく恒常的に所定方向の照度を高めることができる。しかも樋形プラスチックシート成形物は、拡散反射率が８５％以上１２０％以下であることから、所定の方向つまり樋形プラスチックシート成形物の開口方向の照度を充分に高めることができる。
【００２８】
よって、限られた面積内における近接した並列配置を可能にするとともに、振動による影響を受けることなく恒常的に所定方向の照度を高めることができる。
【発明を実施するための最良の形態】
【００２９】
以下、本発明の一実施の形態を図に従って説明する。
【００３０】
（第１の実施の形態）
【００３１】
図１（Ａ）（Ｂ）は、本発明の第１の実施の形態を示すものである。本実施の形態に係る照明装置１は、直管状照明管２と樋形プラスチックシート成形物３とで構成されている。直管状照明管２は、蛍光灯であって、円筒状の管本体２１と、この管本体２１の両端部に取り付けられた口金２２とから成る。
【００３２】
樋形プラスチックシート成形物３は、平均気泡径５０μｍ以下の独立気泡を有し、厚みが２００μｍ以上２０００μｍ以下であるポリエステル樹脂発泡体（例えば、古河電気工業株式会社製「MCPET」）であり、８５％以上１２０％以下の拡散反射率を有する。また、この樋形プラスチックシート成形物３は、長さ方向の両端部３１、３１が直管状照明管２の口金２２端部まで至る長尺状であって、かつ、幅方向の両端部３２、３２が管本体２１の周面において相対向して位置し管本体２１の略半分を覆う幅を有している。さらに、この樋形プラスチックシート成形物３は、管本体２１の径よりも小径な樋状に湾曲形成されており、したがって、樋形プラスチックシート成形物３は、管本体２１の反照射側に嵌合すことにより、それ自体の弾性により止め具なしで嵌着している。
【００３３】
以上の構成に係る第１の実施の形態において、樋形プラスチックシート成形物３は断面半円形であって管本体２１に密接して嵌合していることから、管本体２１から両側に突出するような両翼が存在せず、その厚さ分突出するに過ぎない。よって、限られた面積内における近接した並列配置が可能となる。
【００３４】
また、樋形プラスチックシート成形物３は断面半円形であることから、その内周面全体が、管本体２１の表面と面接触している。したがって、振動が生ずる箇所に配置した場合であっても、振動により、樋形プラスチックシート成形物３が管本体２１に対して回転してしまうことはない。また、樋形プラスチックシート成形物は、拡散反射率が８５％以上１２０％以下であることから、樋形プラスチックシート成形物３の開口方向である照射側の照度が充分に高められる。
【００３５】
よって、限られた面積内における近接した並列配置を可能にするとともに、振動による影響を受けることなく恒常的に所定方向の照度を高めることができる。
【００３６】
なお、本実施の形態においては、樋形プラスチックシート成形物３を断面半円形としたが、図２（Ａ）に示すように、一対の稜線３３、３３を有する断面多角形としてもよい。また、本実施の形態においては、樋形プラスチックシート成形物３を両端部３１、３１が直管状照明管２の口金２２端部まで至る長さとしたが、図２（Ｂ）に示すように、これより短尺であってもよい。
【００３７】
（第２の実施の形態）
【００３８】
図３（Ａ）（Ｂ）は、本発明の第２の実施の形態を示すものである。本実施の形態に係る照明装置１は、直管状照明管２と樋形プラスチックシート成形物３、及び一対の止め具４０、４０で構成されている。この止め具４０は、例えばシリコンゴムリング等の弾性を有するリングであって、直管状照明管２の管本体２１及びこの管本体２１に嵌合された樋形プラスチックシート成形物３とに亙って、その両端部に嵌合されている。したがって、本実施の形態によれば、止め具４０により樋形プラスチックシート成形物３の固定性能を高めることができる。よって、振動が生ずる箇所に配置した場合であっても、振動により、樋形プラスチックシート成形物３が管本体２１に対して回転してしまう不都合を確実に防止することができる。
【００３９】
（第３の実施の形態）
【００４０】
図４（Ａ）（Ｂ）は、本発明の第３の実施の形態を示すものである。本実施の形態に係る照明装置１は、直管状照明管２と樋形プラスチックシート成形物３、及び止め具４１で構成されている。この止め具４１は、例えば金属スプリングであり、前記止め具４０よりも強い緊締力を有している。したがって、本実施の形態によれば、単一の止め具４１により樋形プラスチックシート成形物３の固定性能を高めることができ、よって、装着工程をより簡単にすることができる。
【００４１】
なお、以上の第１〜第３実施の形態においては、直管状照明管２に本発明を適用した場合を示したが、リング管状の照明管に適用することもできる。
【００４２】
（第４の実施の形態）
【００４３】
図５（Ａ）（Ｂ）は、本発明の第４の実施の形態を示すものである。本実施の形態に係る照明装置１は、直管状照明管２と樋形プラスチックシート成形物３、及びこの樋形プラスチックシート成形物３を直管状照明管２の管本体２１に接着する接着剤５とで構成されている。したがって、本実施の形態によれば、接着剤５の接着力により樋形プラスチックシート成形物３の固定性能を高めることができる。よって、振動が生ずる箇所に配置した場合であっても、振動により、樋形プラスチックシート成形物３が管本体２１に対して回転してしまう不都合を確実に防止することができる。
【００４４】
（第５の実施の形態）
【００４５】
図６（Ａ）（Ｂ）は、本発明の第５の実施の形態を示すものである。本実施の形態に係る照明装置１は、直管状照明管２と樋形プラスチックシート成形物３、及び透明樹脂フィルム６とで構成されている。透明樹脂フィルム６は、直管状照明管２の管本体２１とこれに嵌合された樋形プラスチックシート成形物３とを一体的に被覆している。
【００４６】
係る本実施の形態において、製造に際しては樋形プラスチックシート成形物３の裏面の適宜箇所に接着剤を塗布して直管状照明管２の管本体２１に仮着し、しかる後透明樹脂フィルム６により被覆する。これにより、被覆作業時に管本体２１上における樋形プラスチックシート成形物３の変位を伴うことなく、透明樹脂フィルム６により樋形プラスチックシート成形物３を固定することができる。また別の製造方法としては、照明管本体２１に樋形プラスチックシート成形物３を嵌合し、それをさらに、熱収縮性透明プラスチックフィルムによって構成された筒の中に挿入した後、該熱収縮性透明プラスチックフィルムを、加熱収縮して照明管本体２１および樋形プラスチックシート成形物３に密着させる方法などがある。
【００４７】
（第６の実施の形態）
【００４８】
図７（Ａ）（Ｂ）は、本発明の第６の実施の形態を示すものである。本実施の形態に係る照明装置１は、直管状照明管２と、該直管状照明管２の両端に図示されていない装着具を設けて装着した透明性硬質プラスチック保護管９、樋形プラスチックシート成形物３、及びこの樋形プラスチックシート成形物３を透明性硬質プラスチック保護管９に接着する接着剤５とで構成されている。なお、透明性硬質プラスチック保護管９は、例えば後述する図１０に示す装着具８により直管状照明管２の両端に固定される。したがって、本実施の形態によれば、接着剤５の接着力により樋形プラスチックシート成形物３の固定性能を高めることができる。よって、振動が生ずる箇所に配置した場合であっても、振動により、樋形プラスチックシート成形物３が管本体２１に対して回転してしまう不都合を確実に防止することができる。
【００４９】
（第７の実施の形態）
【００５０】
図８（Ａ）（Ｂ）は、本発明の第７の実施の形態を示すものである。本実施の形態に係る照明装置１は、直管状照明管２、該直管状照明管２の両端に図示されていない装着具を設けて装着した透明性硬質プラスチック保護管９、樋形プラスチックシート成形物３、及び透明樹脂フィルム６とで構成されている。透明樹脂フィルム６は、透明性硬質プラスチック保護管９とこれに嵌合された樋形プラスチックシート成形物３とを一体的に被覆している。なお、透明性硬質プラスチック保護管９は、例えば後述する図１０に示す装着具８により直管状照明管２の両端に固定される。
【００５１】
係る本実施の形態において、製造に際しては樋形プラスチックシート成形物３の裏面の適宜箇所に接着剤を塗布して透明性硬質プラスチック保護管９に仮着し、しかる後透明樹脂フィルム６により被覆する。これにより、被覆作業時に透明性硬質プラスチック保護管９上における樋形プラスチックシート成形物３の変位を伴うことなく、透明樹脂フィルム６により樋形プラスチックシート成形物３を透明性硬質プラスチック保護管９に固定することができる。
【００５２】
（第８の実施の形態）
【００５３】
図９は、本発明の第８の実施の形態を示すものである。本実施の形態に係る照明装置１は、直管状照明管２と樋形プラスチックシート成形物３、及び一対の環状止め具４２（一方のみ図示）で構成されている。この環状止め具４２は、例えばゴムリング等の弾性を有しかつ高い摩擦係数を有するリングであって、直管状照明管２の管本体２１の両端部に嵌合されている。そして、この環状止め具４２上に、樋形プラスチックシート成形物３が自身の弾性により嵌合されている。
【００５４】
したがって、本実施の形態においては、第１の実施の形態のように樋形プラスチックシート成形物３がガラス製であって摩擦係数の低い管本体２１に嵌合するのではなく、高い摩擦係数を有する環状止め具４２に嵌合していることから、樋形プラスチックシート成形物３の固定性能を高めることができる。よって、振動が生ずる箇所に配置した場合であっても、振動により、樋形プラスチックシート成形物３が管本体２１に対して回転してしまう不都合を確実に防止することができる。
【００５５】
（第９の実施の形態）
【００５６】
図１０は、本発明の第９の実施の形態を示すものである。本実施の形態に係る照明装置１は、直管状照明管２と樋形プラスチックシート成形物３、一対の装着具８（一方のみ図示）及び保護管９で構成されている。装着具８は好ましくは弾性体で作製され、図示されたような形状の円筒状物である。そして装着具８は直管状照明管２の左右両端部に固定され、相対向する端部には全周に亙って溝８１が形成されている。保護管９は、透明プラスチック製の円筒管であって、その内部に管本体２１が収容され、両端部を前記溝８１に圧入することにより装着具８に固定されている。そして、樋形プラスチックシート成形物３は、この保護管９の反照射側に嵌合すことにより、それ自体の弾性により止め具なしで嵌着している。
【００５７】
係る第９の実施の形態よれば、万が一、管本体２１が破壊された場合であっても、保護管９により、管本体２１を構成するガラスの破片が周囲に飛散することを防止することができる。よって、限られた面積内における近接した並列配置を可能にし、振動による影響を受けることなく恒常的に所定方向の照度を高めることができるのみならず、管本体２１が破壊された際のガラス破片の飛散を防止することができる。
【００５８】
（第１０の実施の形態）
【００５９】
図１１は、本発明の第１０の実施の形態を示すものである。本実施の形態に係る照明装置１は、直管状照明管２と樋形プラスチックシート成形物３、一対の装着具８（一方のみ図示）、保護管９及び一対の環状止め具４３（一方のみ図示）で構成されている。この環状止め具４３は、例えばシリコンゴムリング等の弾性を有するリングであって、保護管９及びこの保護管９に嵌合された樋形プラスチックシート成形物３とに亙って、その両端部に嵌合されている。したがって、環状止め具４３により、樋形プラスチックシート成形物３の保護管９に対する固定性能を向上させることができる。
【００６０】
（第１１の実施の形態）
【００６１】
図１２は、本発明の第１１の実施の形態を示すものである。本実施の形態に係る照明装置１は、直管状照明管２と樋形プラスチックシート成形物３、一対の装着具８（一方のみ図示）及び保護管９で構成されている。装着具８は円筒状であって例えばシリコンゴムリング等の弾性体からなり、直管状照明管２の左右両端部に弾性により固定され、相対向する端部には全周に亙って溝８１が形成されている。溝８１の上部側には、これを拡開して保護管９とこの保護管９の外周面に嵌合された樋形プラスチックシート成形物３の両端部が圧入して固定され、溝８１の下部側には保護管９の両端部のみが圧入して固定されている。
【００６２】
したがって、本実施の形態によれば、装着具８を有効に利用して、保護管９のみならず、樋形プラスチックシート成形物３を固定することができる。
【００６３】
（第１２の実施の形態）
【００６４】
図１３は、本発明の第１２の実施の形態を示すものである。本実施の形態に係る照明装置１は、直管状照明管２と樋形プラスチックシート成形物３、一対の装着具８（一方のみ図示）及び保護管９で構成されている。装着具８は円筒状であって、直管状照明管２の左右両端部に固定され、相対向する端部には全周に亙って溝８１が形成されている。保護管９は、透明プラスチック製の円筒管であって、その内部に管本体２１が収容され、両端部を前記溝８１に圧入することにより装着具８に固定されている。保護管９と直管状照明管２の管本体２１間には、隙間Ｓが設けられており、この隙間Ｓ内に管本体２１に嵌合した樋形プラスチックシート成形物３が配置されている。これにより、樋形プラスチックシート成形物３は、直管状照明管２の管本体２１と保護管９により挾持されている。
【００６５】
したがって、本実施の形態によれば、保護管９と直管状照明管２の管本体２１間に形成されている隙間Ｓを有効に利用して、樋形プラスチックシート成形物３を配置することができるとともに、その固定性能を向上させることができる。
【００６６】
（第１３の実施の形態）
【００６７】
図１４は、本発明の第１３の実施の形態を示すものである。本実施の形態に係る照明装置１は、直管状照明管２と樋形プラスチックシート成形物３、一対の装着具８（一方のみ図示）及び保護管９で構成されている。そして、樋形プラスチックシート成形物３は、管本体２１の反照射側において、両端部をそれ自体の弾性により止め具なしで装着具８に嵌着している。したがって、本実施の形態によれば、直管状照明管２と一対の装着具８及び保護管９で構成されている照明装置に、樋形プラスチックシート成形物３を後付することにより、本発明に係る照明装置１とすることができる。
【００６８】
なお、本実施の形態においても、樋形プラスチックシート成形物３の両端部を接着剤により装着具８に接着するようにしてもよい。
【００６９】
（第１４の実施の形態）
【００７０】
図１５は、本発明の第１４の実施の形態を示すものである。本実施の形態に係る照明装置１は、直管状照明管２と樋形プラスチックシート成形物３、一対の装着具８（一方のみ図示）、保護管９及び一対の止め具４４（一方のみ図示）で構成されている。そして、樋形プラスチックシート成形物３は、管本体２１の反照射側において、両端部を装着具８に嵌着している。また、止め具４４は、例えばシリコンゴムリング等の弾性を有するリングであって、装着具８及びこの装着具８に嵌合された樋形プラスチックシート成形物３とに亙って嵌合されている。したがって、環状止め具４３により、樋形プラスチックシート成形物３の装着具８に対する固定性能を向上させることができる。
【００７１】
（樋形プラスチックシート成形物に関する実施の形態）
【００７２】
図１６（Ａ）〜（Ｅ）は、本発明の樋形プラスチックシート成形物３に係る実施の形態を示すものである。なお、各図は直管状照明管２の管本体２１に嵌着した状態における断面形状を示しており、嵌着する前の状態においては、それ自体の弾性によりその両端部がより近接した形状である。
【００７３】
すなわち、（Ａ）および（Ｂ）に示した樋形プラスチックシート成形物３は複数の稜線３３を有する断面多角形である。また、（Ｃ）に示した樋形プラスチックシート成形物３は断面半円形であり、（Ｄ）に示した樋形プラスチックシート成形物３は断面略四分の一円形である。（Ｅ）に示した樋形プラスチックシート成形物３は断面略四分の三円形である。
【００７４】
なお、これら実施の形態に示したものに限らず、より多数の断面多角形状としてもよい。
【図面の簡単な説明】
【００７５】
【図１】（Ａ）は本発明の第１の実施の形態を示す照明管に直交する方向の垂直模式断面図、（Ｂ）は同照明管に並行する方向の垂直模式断面図である。
【図２】（Ａ）は本発明の他の実施の形態を示す照明管に直交する方向の垂直模式断面図、（Ｂ）は同照明管に並行する方向の垂直模式断面図である。
【図３】（Ａ）は本発明の第２の実施の形態を示す照明管に直交する方向の垂直模式断面図、（Ｂ）は同照明管に並行する方向の垂直模式断面図である。
【図４】（Ａ）は本発明の第３の実施の形態を示す照明管に直交する方向の垂直模式断面図、（Ｂ）は同照明管に並行する方向の垂直模式断面図である。
【図５】（Ａ）は本発明の第４の実施の形態を示す照明管に直交する方向の垂直模式断面図、（Ｂ）は同照明管に並行する方向の垂直模式断面図である。
【図６】（Ａ）は本発明の第５の実施の形態を示す照明管に直交する方向の垂直模式断面図、（Ｂ）は同照明管に並行する方向の垂直模式断面図である。
【図７】（Ａ）は本発明の第６の実施の形態を示す照明管に直交する方向の垂直模式断面図、（Ｂ）は同照明管に並行する方向の垂直模式断面図である。
【図８】（Ａ）は本発明の第７の実施の形態を示す照明管に直交する方向の垂直模式断面図、（Ｂ）は同照明管に並行する方向の垂直模式断面図である。
【図９】本発明の第８の実施の形態を示す照明管に並行する方向の垂直模式断面図である。
【図１０】本発明の第９の実施の形態を示す照明管に並行する方向の垂直模式断面図である。
【図１１】本発明の第１０の実施の形態を示す照明管に並行する方向の垂直模式断面図である。
【図１２】（Ａ）は本発明の第１１の実施の形態を示す照明管に直交する方向の垂直模式断面図、（Ｂ）は同照明管に並行する方向の垂直模式断面図である。
【図１３】本発明の第１２の実施の形態を示す照明管に並行する方向の垂直模式断面図である。
【図１４】本発明の第１３の実施の形態を示す照明管に並行する方向の垂直模式断面図である。
【図１５】本発明の第１４の実施の形態を示す照明管に並行する方向の垂直模式断面図である。
【図１６】本発明の樋形プラスチックシート成形物に係る実施の形態を示す垂直断面図である。
【図１７】従来の照明装置を示す斜視図である。
【符号の説明】
【００７６】
１    照明装置
２    直管状照明管
３    樋形プラスチックシート成形物
５    接着剤
６    透明樹脂フィルム
８    装着具
９    保護管
２１    管本体
２２    口金
４０    止め具
４１    止め具
４２    環状止め具
４３    環状止め具
４４    止め具
８１    溝
Ｓ    隙間
【図１】
2006196352.tif 000003
【図２】
2006196352.tif 000004
【図３】
2006196352.tif 000005
【図４】
2006196352.tif 000006
【図５】
2006196352.tif 000007
【図６】
2006196352.tif 000008
【図７】
2006196352.tif 000009
【図８】
2006196352.tif 000010
【図９】
2006196352.tif 000011
【図１０】
2006196352.tif 000012
【図１１】
2006196352.tif 000013
【図１２】
2006196352.tif 000014
【図１３】
2006196352.tif 000015
【図１４】
2006196352.tif 000016
【図１５】
2006196352.tif 000017
【図１６】
2006196352.tif 000018
【図１７】
2006196352.tif 000019
【手続補正書】
【提出日】平成17年1月31日(2005.1.31)
【手続補正１】
【補正対象書類名】図面
【補正対象項目名】図４
【補正方法】変更
【補正の内容】
【図４】
2006196352.tif 000020
【手続補正２】
【補正対象書類名】図面
【補正対象項目名】図９
【補正方法】変更
【補正の内容】
【図９】
2006196352.tif 000021
【手続補正３】
【補正対象書類名】図面
【補正対象項目名】図１０
【補正方法】変更
【補正の内容】
【図１０】
2006196352.tif 000022
【手続補正４】
【補正対象書類名】図面
【補正対象項目名】図１１
【補正方法】変更
【補正の内容】
【図１１】
2006196352.tif 000023
【手続補正５】
【補正対象書類名】図面
【補正対象項目名】図１２
【補正方法】変更
【補正の内容】
【図１２】
2006196352.tif 000024
【手続補正６】
【補正対象書類名】図面
【補正対象項目名】図１３
【補正方法】変更
【補正の内容】
【図１３】
2006196352.tif 000025
【手続補正７】
【補正対象書類名】図面
【補正対象項目名】図１４
【補正方法】変更
【補正の内容】
【図１４】
2006196352.tif 000026
【手続補正８】
【補正対象書類名】図面
【補正対象項目名】図１５
【補正方法】変更
【補正の内容】
【図１５】
2006196352.tif 000027